(57)【要約】      （修正有）【課題】  置き忘れられたり、落とされてしまった移動通信端末が第三者によって悪用されることを防止する技術を提供する。【解決手段】  移動通信端末において、予め登録された情報を用いない操作を異常操作として検出する異常操作検出処理と、前記異常操作が行われた場合は解除コードが入力されるまで前記移動通信端末の操作が制限されるロック処理と、警告メッセージを警告表示として表示させる警告処理と、位置情報をＧＰＳにて取得したのち前記位置情報をメールにてサーバに通知し、前記サーバはメール受け、前記位置情報を外部地図情報サーバの地図情報と合成した合成位置情報を作成し、メールの送信者情報から移動通信端末の所有者情報を得て、前記所有者情報から緊急時用メールアドレスを取得し、前記緊急時用メールアドレスに前記位置情報を含むメールを発信し、前記緊急時用メールアドレスに登録された登録端末が前記位置情報を含むメールを受信する。【選択図】      図３
2005136920.tif 000002
【特許請求の範囲】
【請求項１】
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
備えていることを特徴とする移動通信端末悪用防止プログラム。
【請求項２】
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
前記受信端末から前記サーバにアクセスして警告メッセージデータを編集して、メールに前記警告メッセージデータを添付して、前記移動通信端末へ送信し、前記表示部の警告メッセージに前記警告メッセージデータを上書きすることができる警告編集処理とを備えることを特徴とする移動通信端末悪用防止プログラム。
【請求項３】
前記警告処理は前記警告メッセージを警告音声としてスピーカより発生することも含む請求項１または請求項２記載の移動通信端末悪用防止プログラム。
【請求項４】
前記警告編集処理は前記サーバにアクセスして、警告音声データを選択し、メールに選択した前記警告音声データを添付して前記移動通信端末へ送信し、前記移動通信端末の警告音声に前記警告音声データを上書きすることができることを含む請求項２記載の移動通信端末悪用防止プログラム。
【請求項５】
前記合成位置情報は前記位置情報から前記移動通信端末の形跡を表示することが可能な請求項１または２記載の移動通信端末悪用防止プログラム。
【請求項６】
前記サーバは前記位置情報を含んだメールを受信および送信するメール送受信機能と、
前記メール送受信機能が受信したメールから位置情報を抽出するアプリケーション機能と、
前記位置情報を定期的に保存するデータベース機能と、
前記合成位置情報を表示するＷＥＢ機能と、
前記送信者情報から緊急時用メールアドレスを検索するメールアドレスデータベース機能と、
とを備えていること請求項１また請求項２記載の移動通信端末悪用防止プログラム。
【請求項７】
移動通信端末において、
予め登録された登録情報を用いない操作を異常操作として検出する異常操作検出処理と、
前記異常操作が行われた場合は解除コードが入力されるまで前記移動通信端末の操作が制限されるロック処理と、
出力部に記憶部の警移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
備えていることを特徴とする移動通信端末悪用防止システム。
【請求項８】
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
前記受信端末から前記サーバにアクセスして警告メッセージデータを編集して、メールに前記警告メッセージデータを添付して、前記移動通信端末へ送信し、前記表示部の警告メッセージに前記警告メッセージデータを上書きすることができる警告編集処理とを備えることを特徴とする移動通信端末悪用防止システム。
【請求項９】
前記警告処理は前記警告メッセージを警告音声としてスピーカより発生することも含む請求項６または請求項７記載の移動通信端末悪用防止システム。
【請求項１０】
前記警告編集処理は前記サーバにアクセスして、警告音声データを選択し、メールに選択した前記警告音声データを添付して前記移動通信端末へ送信し、前記移動通信端末の警告音声に前記警告音声データを上書きすることができることを含む請求項７記載の移動通信端末悪用防止システム。
【請求項１１】
前記合成位置情報は前記位置情報から前記移動通信端末の形跡を表示することが可能な請求項６または７記載の移動通信端末悪用防止システム。
【請求項１２】
前記サーバは前記位置情報を含んだメールを受信および送信するメール送受信機能と、
前記メール送受信機能が受信したメールから位置情報を抽出するアプリケーション機能と、
前記位置情報を定期的に保存するデータベース機能と、
前記合成位置情報を表示するＷＥＢ機能と、
前記送信者情報から緊急時用メールアドレスを検索するメールアドレスデータベース機能と、を備えていること請求項１また請求項２記載の移動通信端末悪用防止システム。
【請求項１３】
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
備えていることを特徴とする移動通信端末悪用防止方法。
【請求項１４】
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
前記サーバは前記位置情報を含んだメール受け、
前記位置情報は前記サーバ内のメモリに定期的に保存され、
前記位置情報を外部地図情報サーバの地図情報と合成した合成位置情報を作成し、
前記合成位置情報を含んだメールの送信者情報から移動通信端末の所有者情報を得て、
前記所有者情報から前記サーバ内のデータベースに予め登録された緊急時用メールアドレスを取得し、
前記緊急時用メールアドレスに前記位置情報を含むメールを発信し、
前記緊急時用メールアドレスに登録された登録端末が前記位置情報を含むメールを受信する位置情報通知処理と、
前記受信端末から前記サーバにアクセスして警告メッセージデータを編集して、メールに前記警告メッセージデータを添付して、前記移動通信端末へ送信し、前記表示部の警告メッセージに前記警告メッセージデータを上書きすることができる警告編集処理とを備えることを特徴とする移動通信端末悪用防止方法。
【請求項１５】
前記警告処理は前記警告メッセージを警告音声としてスピーカより発生することも含む請求項１１または請求項１２記載の移動通信端末悪用防止方法。
【請求項１６】
前記警告編集処理は前記サーバにアクセスして、警告音声データを選択し、メールに選択した前記警告音声データを添付して前記移動通信端末へ送信し、前記移動通信端末の警告音声に前記警告音声データを上書きすることができることを含む請求項１２記載の移動通信端末悪用防止方法。
【請求項１７】
前記合成位置情報は前記位置情報から前記移動通信端末の形跡を表示することが可能な請求項１１または１２記載の移動通信端末悪用防止方法
【請求項１８】
前記サーバは前記位置情報を含んだメールを受信および送信するメール送受信機能と、
前記メール送受信機能が受信したメールから位置情報を抽出するアプリケーション機能と、
前記位置情報を定期的に保存するデータベース機能と、
前記合成位置情報を表示するＷＥＢ機能と、
前記送信者情報から緊急時用メールアドレスを検索するメールアドレスデータベース機能と、
を備えていること請求項１また請求項２記載の移動通信端末悪用防止方法。
【発明の詳細な説明】
【技術分野】
【０００１】
本発明は、置き忘れられたり、落とされてしまった移動通信端末が第三者によって悪用されることを防止するプログラム、システムおよび方法。
【背景技術】
【０００２】
徘徊老人、子供、急病状態などの携帯電話を操作できない人を遠隔地から探索するために、利用者が携帯電話を操作できない状態であっても、探索センターから携帯電話の位置を探索できる技術が開示されている（例えば、特許文献１参照）。
【０００３】
この技術を使用することによって、携帯電話を紛失してしまった場合に、携帯電話を探索することが可能である。
【特許文献１】特開２００３−１４９３１７号公報
【発明の開示】
【発明が解決しようとする課題】
【０００４】
従来の技術は、所有者が移動通信端末を置き忘れてしまったり、落としてしまったことに気づいてから、移動通信端末の捜索を開始するものである。このため、所有者自身が置き忘れ等に気づかないと移動通信端末の捜索が始まらない。また、移動通信端末を拾った第三者が、その移動通信端末を使用して電話をかけたり、電子メールを送信するなど、悪用される可能性も高い。
【０００５】
さらに、置き忘れ等に気づいた所有者が自己の移動通信端末に電子メールを送付し、その電子メールの本文が移動通信端末の画面に表示される場合、その移動通信端末を拾った第三者に所有者の電子メールアドレスが知られてしまい、トラブルの原因となるおそれがある。
【０００６】
そこで、本発明は、置き忘れられたり、落とされてしまった移動通信端末が第三者によって悪用されることを防止するプログラムおよび方法、ならびに悪用防止機能を備える移動通信端末を提供することを目的とする。
【課題を解決するための手段】
【０００７】
（異常操作発生〜メール通知）
本発明の特徴は、移動通信端末において、
予め登録された登録情報を用いない操作を異常操作として検出する異常操作検出処理と、
前異常操作が行われた場合は解除コードが入力されるまで移動通信端末の操作が制限されるロック処理と、
出力部に記憶部の警告メッセージを警告として発する警告処理と、
位置情報をＧＰＳにて取得したのち位置情報をメールに添付してサーバに通知し、
サーバは前記位置情報を含んだメール受け、
位置情報は前記サーバ内に定期的に保存され、
位置情報を外部地図情報サーバの地図情報と合成した合成位置情報を作成し、
合成位置情報を含んだメールの送信者情報から移動通信端末の所有者情報を得て、
所有者情報からサーバ内のデータベースに予め登録された緊急時用メールアドレスを取得し、
緊急時用メールアドレスに位置情報を含むメールを発信し、
緊急時用メールアドレスに登録された登録端末が位置情報を含むメールを受信する位置情報通知処理を実行させることにある。
【０００８】
また、本発明の特徴は、
移動通信端末において、
予め登録された情報を用いない操作を異常操作として検出する異常操作検出処理と、
前記異常操作が行われた場合は解除コードが入力されるまで前記移動通信端末の操作が制限されるロック処理と、
表示部に記憶部の警告メッセージを警告表示として表示させる警告処理と、
位置情報をＧＰＳにて取得したのち前記位置情報をメールに添付してサーバに通知し、
サーバは前記位置情報を含んだメール受け、
位置情報は前記サーバ内のメモリに定期的に保存され、
位置情報を外部地図情報サーバの地図情報と合成した合成位置情報を作成し、
合成位置情報を含んだメールの送信者情報から移動通信端末の所有者情報を得て、
所有者情報から前記サーバ内のデータベースに予め登録された緊急時用メールアドレスを取得し、
緊急時用メールアドレスに前記位置情報を含むメールを発信し、
緊急時用メールアドレスに登録された登録端末が前記位置情報を含むメールを受信する位置情報通知処理と、
受信端末から前記サーバにアクセスして警告メッセージデータを編集して、メールに前記警告メッセージデータを添付して、前記移動通信端末へ送信し、前記表示部の警告メッセージに前記警告メッセージデータを上書きすることができる警告編集処理とを実行で  させることにある。
【０００９】
（警告音声発生）
なお、警告処理は前記警告メッセージを警告音声としてスピーカより発生させることを含んでもよい。
【００１０】
（警告音声上書き）
さらに、警告編集処理はサーバにアクセスして、警告音声データを選択し、メールに選択した警告音声データを添付して移動通信端末へ送信し、移動通信端末の警告音声に警告音声データを上書きしてもよい。
【００１１】
（マッピング形跡）
また、合成位置情報は前記位置情報から移動通信端末の形跡を表示することが可能である。
【００１２】
なお、サーバは位置情報を含んだメールを受信および送信するメール送受信機能と、
メール送受信機能が受信したメールから位置情報を抽出するアプリケーション機能と、
位置情報を定期的に保存するデータベース機能と、
合成位置情報を表示するＷＥＢ機能と、送信者情報から緊急時用メールアドレスを検索するメールアドレスデータベース機能と、
を備えていることが好ましい。
【発明の効果】
【００１３】
本発明の特徴によれば、移動通信端末の所有者が置き忘れ等に気づかなくても、異常操作の発生が検知されると、移動通信端末がロック状態となり、かつ移動通信端末の位置情報が所有者に通知される。これにより移動通信端末の所有者は、移動通信端末を置き忘れ等してしまったことに気づくと共に、移動通信端末が現在どこにあるかを知ることができる。
【００１４】
さらに、警告メッセージ／警告音を利用者が自由に設定可能とすることによって、利用者が受信した位置情報を知ってからその時の状況に応じて最適な警告メッセージ／警告音を作成／選択することができるので、利便性がより一層向上する。
【発明を実施するための最良の形態】
【００１５】
以下に詳述するよう、本発明の実施例においては、所有者が移動通信端末を落としてしまったことに気づかなくても、第三者に悪用されることを防止できたり、また第三者が悪用しようとしたことを所有者に通知することができたり、さらに所有者の電子メールアドレスを知られることなく、移動通信端末の画面に警告等のメッセージを表示させることができる。
【実施例１】
【００１６】
図１は、本発明を適用した悪用防止システムの全体構成を示す。本システムは、携帯電話、ＰＨＳ(Personal Handy Phone System)、ノート型パーソナルコンピュータ、ＰＤＡ(Personal Digital Assistant)などの移動通信端末１０と、移動通信端末と交信する無線基地局１２と、携帯電話網などの移動通信網１４と、Ｗｅｂブラウザからのリクエストに応じて要求されているＨＴＭＬファイルなどを送信可能なＷｅｂサーバ１６と、電子メールの送受信を担当するメールサーバ１８と、移動通信端末１０の位置情報などを記憶するＤＢサーバ２０と、移動通信端末１０の位置情報を受け取ったらその位置情報を知らせる電子メールをインターネット網２４を介して所有者の別の通信端末３０に送信などするアプリケーションサーバ２２とを備える。
【００１７】
移動通信端末１０は、複数のＧＰＳ衛星４０から送信される電波を受信することによって移動通信端末１０の緯度、経度がわかるＧＰＳ機能を有しているか、または最寄りの無線基地局１２の位置情報から移動通信端末１０のおよその位置がわかる機能を有している。
【００１８】
図２は、移動通信端末１０の構成ブロックを示す。移動通信端末１０は、アンテナ１０１と、アンテナ１０１が受けた電波を端末１０内の回路が処理可能な周波数へ変換するＲＦ部１０２と、ＲＦ部１０２を経由して無線基地局１２との間で無線信号を送受信する送受信部１０３と、ＲＦ部１０２を経由してＧＰＳ衛星４０から送信されるＧＰＳ信号を受信するＧＰＳ受信部１０４と、移動通信端末１０の使用者が各種の操作入力のために使用する数字キーなどの操作部１０５と、移動通信端末１０の動作を制御するためのオペレーティングシステム（以下「ＯＳ」とする）１１５と、各種アプリケーション、各種データを記憶するリードオンリーメモリー（以下「ＲＯＭ」とする）やランダムアクセスメモリ（以下「ＲＡＭ」とする）などからなる記憶部１０７と、移動通信端末１０の状態や操作ガイダンスや各種メッセージを表示する液晶ディスプレイなどからなる表示部１０９と、音声通話音や警告音などを出力するスピーカー１１１と、これら全体を制御するＣＰＵ１１３から構成されている。
【００１９】
記憶部１０７は、操作部１０５の操作を不能（ロック状態）にすることなどにより移動通信端末の悪用を防止する悪用防止アプリケーションや、ロック状態を解除するための解除コードや、悪用が検知されたら表示部１０９に表示される警告メッセージなどを記憶している。なお、ＧＰＳ受信部１０４がＧＰＳ衛星４０を利用して位置情報を取得する代わりに、最寄りの無線基地局１２を利用して位置情報を取得する場合は、そのような機能を有するアプリケーションが記憶部１０７に記憶される。
【００２０】
図３及び図４を参照して、移動通信端末１０内における処理の流れを説明する。図３は、実施例１における移動通信端末１０内の処理の流れを示すフローチャートであり、図４（Ａ）〜（Ｃ）は、移動通信端末１０の表示部１０９に表示されるメッセージ等を示す図である。なお、本発明の悪用防止プログラムは、移動通信端末内で常駐するものとする。
【００２１】
ステップＳ１０１では、解除コードを登録する。例えば、図４（Ａ）に示すように、テキスト入力領域を２つ、「ＯＫ」ボタンを１つ表示し、各テキスト入力領域に同一の英数字列が解除コードとして入力され、「ＯＫ」ボタンが押下されたらテキスト領域に入力された英数字列が解除コードとして設定される。既に、解除コードが設定されている場合は、同様の操作によって解除コードが更新される。
【００２２】
ステップＳ１０３では、異常操作発生検出を行う。実施例１では、予めと登録された情報を用いない操作が行われない場合、異常操作発生として検出される。例えば、記憶部１０７に記憶されている電話帳に登録されていない電話番号に対して発信しようとしたり、記憶部１０７に記憶されているブックマークに登録されていないＵＲＬ(Uniform Resource Locator)に対してアクセスしようとしたりすると、異常操作発生として検出される。異常操作発生が検出されると、ステップＳ１０５へ進む。
【００２３】
ステップＳ１０５では、解除コードの入力を促すメッセージが表示部１０９に表示される。例えば、図４（Ｂ）に示すように、「異常操作！」、「異常操作がありました。」などの異常操作発生が検出されたことを示すメッセージと、「１０秒後に端末がロックされます。」などの所定時間経過後に移動通信端末１０の操作が制限されることを示すメッセージと、「解除コードを入力して下さい。」などの解除コードの入力を促すメッセージが表示され、解除コードを入力するためのテキスト入力領域１つと「ＯＫ」ボタン１つが表示される。
【００２４】
ステップＳ１０７では、図４（Ｂ）に示すテキスト入力領域に記憶部１０７に既に記憶されている解除コードと同じ英数字列が入力され、かつ「ＯＫ」ボタンが押下されると、「ＹＥＳ」に分岐し、ステップＳ１０３へ戻り、異常操作発生がないかどうか監視する。またテキスト領域に入力された解除コードが記憶している解除コードと不一致である場合は、「ＮＯ」に分岐し、ステップＳ１０９へ進む。
【００２５】
ステップＳ１０９では、移動通信端末１０の操作が制限される。操作制限後は、移動通信端末１０のキーボタンが押し下げられるなどのイベントが発生しても、ＯＳ１１５はそのイベント発生を実施例１にかかる悪用防止アプリケーション以外のアプリケーションに通知しなくなる。
【００２６】
ステップＳ１１１では、所定のメッセージが表示部１０９に表示される。例えば、図４（Ｃ）に示すように、「操作ロック中」など移動通信端末１０の操作が制限されていることを示すメッセージと、「この携帯を最寄りの交番、警察署までお持ち下さい。」など移動通信端末１０を拾った人にどうして欲しいかを伝えるメッセージが表示される。と、解除コード入力用のテキスト入力領域と、「ＯＫ」ボタンが表示される。なお、テキスト入力領域が表示されると、悪用防止アプリケーションは英数字キーによる解除コードの入力と「ＯＫ」を押下するための選択キーが操作のみ解除される。解除コードが入力され、「ＯＫ」が押されると、入力された解除コードがＯＳ１１５から悪用防止アプリケーションへ通知される。
【００２７】
ステップＳ１１３では、移動通信端末１０の位置情報が取得される。移動通信端末１０がＧＰＳ機能を有する場合は、実施例１にかかる悪用防止アプリケーションがＯＳ１１５に位置情報の取得を依頼すると、ＯＳ１１５がＧＰＳシステムに位置情報の取得を依頼する。そして、ＧＰＳシステムが緯度、経度などの位置情報を取得し、その位置情報をＯＳ１１５に通知すると、ＯＳ１１５はその位置情報を悪用防止アプリケーションに通知する。
【００２８】
また、移動通信端末１０が、ＧＰＳ機能のような移動通信端末１０それ自身の緯度、経度などを取得する機能は有しないが、移動通信端末１０と通信を行っている無線基地局の位置に対応するエリア情報を取得可能な場合は、悪用防止アプリケーションがＯＳ１１５にそのようなエリア情報の取得を依頼すると、ＯＳ１１５がかかるエリア情報を取得し、悪用防止アプリケーションに通知する。
【００２９】
ステップＳ１１５では、位置情報が移動通信端末１０の有する電子メール送信機能を利用してサーバに通知される。なお、以下の説明において、「位置情報」には「エリア情報」も含み、具体的には「緯度」、「経度」、「エリアコード」などが含まれる。なお、
本発明の悪用防止アプリケーション自身が電子メール送信機能を有するとしても良い。
【００３０】
ステップＳ２０１では、位置情報とメールをサーバ内のメールサーバが受信する。受信したメールから送信者メールアドレスを抽出し、送信者メールアドレスから緊急時用メールアドレスに変換するためにサーバ内にあるメールアドレスデータベースサーバ１００を参照する。緊急時用メールアドレスは移動通信端末から予めメールアドレスデータベースサーバに登録してあり、適宜自由に変更を行ってもよい。なお、位置情報の受信する場合は、メールサーバ１８が電子メールを受信し、アプリケーションサーバ２２へ転送し、アプリケーションサーバ２２が電子メールの本文中または添付ファイル中から位置情報を取得するようにしてもよい。
【００３１】
ステップＳ２０３では、位置情報のマッピングを行う。外部の地図情報データベースサーバ２００と位置情報を合成し、参照できるＵＲＬを作成する。例えば、アプリケーション回路２２はデータベース２０に時刻情報と共に携帯端末から順次送られてくる位置情報を順次、書き込む。定期的に携帯情報端末から発信される位置情報を受信し、それら全てをデータベース２０に順次、書き込むとしても良い。また、時刻情報は、移動通信端末１０が自己の位置情報を取得した時刻、移動通信端末１０が位置情報を通知する電子メールを生成した時刻、またはそのような電子メールをメール送受信回路１８が受信した時刻のいずれであっても良い。
【００３２】
ステップＳ２０５では、緊急連絡先アドレスへ移動通信端末１０の位置情報を所有者へ送信する。例えば、メール送受信回路１８が位置情報を受信したら、アプリケーション回路２２はその旨を通知する電子メールをメールサーバ１８からＰＣ３０へ送信する。ＰＣ３０へ送信される電子メールは、
（１）位置情報を本文中に含む電子メール、
（２）位置情報を含むファイルが添付されている電子メール、または
（３）位置情報を取得するためにアクセスすべきサーバのＵＲＬを本文中に含む電子メール、のいずれでも良い。位置情報は、５分毎、１０分毎など定期的に所有者に送信される。
【００３３】
また、緯度、経度、エリアコードなどの位置情報とともに、それら位置情報に関連する情報をＰＣ３０へ送信することが好ましい。例えば、
（１）緯度、経度によって特定される場所の近くの駅、建物などの名称
（２）エリアコードによって特定されるエリア内の駅、建物などの名称
（３）緯度、経度、エリアコードによって特定される場所、エリアの地図画像ファイル
（４）上記の建物の名称や地図画像ファイルを取得するためにアクセスすべきサーバのＵＲＬなどもＰＣ３０へ送信することが好ましい。
【００３４】
ステップＳ３０１では、所有者は受信した電子メールの本文もしくは添付ファイルを見て、または電子メール本文中に記載のＵＲＬにアクセスすることによって、移動通信端末１０の位置情報や最寄りの駅、建物などの名称や地図画像ファイルを取得する。
【００３５】
前記の如く、実施例１によれば、異常操作発生が検出された後に、適切な解除コードが入力されないと、移動通信端末の操作が制限され、第三者による悪用が防止される。また、表示部に警告メッセージが表示されるので、移動通信端末を拾った人に所定の行動を促すメッセージを伝えることができる。さらに、移動通信端末がそれ自身の位置情報を取得し、所有者へ通知することによって、所有者は移動通信端末の現在位置を知ることも可能である。
【実施例２】
【００３６】
実施例１では、どのような操作を異常操作として検知するかは予め決められていたが、実施例２では、どのような操作を異常操作として検知するかを利用者が適宜変更することができる。
【００３７】
図４（Ａ）〜（Ｄ）は、実施例２において移動通信端末１０の表示部１０９に表示されるメッセージを示す図であり、図５は、実施例２における移動通信端末１０内の処理の流れを示すフローチャートである。
【００３８】
なお、図４（Ｄ）並びに図５のステップＳ１０１ａ及びステップＳ１０４以外については、実施例１と同様であるから説明を省略する。
【００３９】
ステップＳ１０１ａでは、解除コードを登録するだけでなく、異常操作も登録する。異常操作を登録するとは、どのような操作を異常操作として監視の対象とするかを登録することを意味する。
【００４０】
例えば、図４（Ｄ）に示すように、複数の操作内容とそれに対応するチェックボックスを表示部１０９に表示し、利用者がチェックをしたチェックボックスに対応する操作を異常操作として記憶部１０７に記憶する。
【００４１】
ステップＳ１０３では、ステップＳ１０１ａで記憶部１０７に記憶された操作がなされたか否かを監視する。かかる操作がなされた場合は、ステップＳ１０５へ進む。かかる操作がなされていない場合であって、機能の追加又は変更をする場合はステップＳ１０１ａに戻り、そのような追加又は変更をしない場合はステップＳ１０３へ戻る（ステップＳ１０４）。
【００４２】
前記の如く、実施例２によれば、異常操作として監視対象となる操作を、利用者の好みに応じて適宜変更することができるので、利用者の利便性が向上する。
【実施例３】
【００４３】
実施例１では、異常操作発生後に表示される警告メッセージは、記憶部１０７に予め記憶されていた警告メッセージであったが、実施例３では、警告メッセージを、所有者が異常操作発生後に変更することができる。
【００４４】
図４（Ａ）〜（Ｃ）、（Ｅ）は、実施例３において移動通信端末１０の表示部１０９に表示されるメッセージを示す図であり、図６は、実施例３における移動通信端末１０内の処理の流れを示すフローチャートである。
【００４５】
なお、図４（Ｅ）並びに図６のステップＳ１１６、Ｓ２０７、Ｓ２０９及びＳ３０３以外については、実施例１と同様であるから説明を省略する。
【００４６】
ステップＳ３０３では、利用者は自宅にあるパーソナルコンピュータ（図１の「３０」。以下「ＰＣ３０」とする。）などから警告表示を依頼することができる。「警告表示を依頼する」とは移動通信端末１０の表示部１０９に表示される警告メッセージを、移動通信端末の記憶部１０７に予め登録されている警告メッセージ（第１の警告メッセージ）から別の警告メッセージ（第２の警告メッセージ）へ上書きするために必要な操作を行うことを意味する。さらに、移動通信端末１０のスピーカ１１１から出力される警告音を選択等することも意味する。
【００４７】
ステップＳ２０７では、警告表示依頼を受けて表示データを編集する。「表示データを編集する」とは、利用者がＰＣ３０からＷｅｂサーバ１６にアクセスし、予め用意されている複数の警告メッセージの中からいずれかを選択したり、利用者が任意のメッセージを入力するなどして、第２の警告メッセージを決定または作成することを意味する。
【００４８】
ステップＳ２０９では、ステップＳ２０７で決定または作成された表示データおよび／または音声データを移動通信端末１０に送信する。データがテキストデータである場合は、電子メールの本文に書き込み、送信する。また、データがバイナリデータである場合は電子メールに添付して、送信する。もしくは、バイナリデータをテキストデータに変換して電子メールの本文に書き込んで、送信しても良い。さらには、電子メール本文中にはデータが置かれているサーバのＵＲＬを記載して、送信しても良い。音声データには、電子音楽の標準形式であるMIDI形式、携帯電話の着信メロディに使用されているMLD(i Melody)形式、ＳＭＤ(Sky Melody)形式、ＳＭＡＦ(Synthetic music Mobile Application Format)形式、Ｑｃｅｌｐ(Qualcomm code excited linear prediction)形式のデータが含まれる。
【００４９】
ステップＳ１１６では、表示部１０９に第２の警告メッセージが表示され、またスピーカ１１１から警告音が出力される。例えば、電子メール本文中または添付ファイル中からメッセージを取得して、そのメッセージを第２の警告メッセージとして記憶部１０７に予め登録してある第１のメッセージを上書きして表示部１０９に表示する。または、電子メールの添付ファイルから取得した音声データもしくは電子メール本文中に記述されているＵＲＬにアクセスしダウンロードした音声データを再生することによってスピーカ１１１から警告音を出力する。
【００５０】
利用者は移動通信端末１０の位置情報を見てから（Ｓ３０１）、表示データを変更することが可能である。このため、例えば移動通信端末１０を受け取る場所などを指定するメッセージを送信する場合に、移動通信端末１０の現在位置を考慮した最適な受け取り場所を指定することが可能となる。
【００５１】
前記の如く、実施例３によれば、警告メッセージや警告音を利用者の好みに応じて変更することができるので、利用者の利便性が向上する。
【図面の簡単な説明】
【００５２】
【図１】本発明を適用した悪用防止システムの全体構成を示す図である。
【図２】移動通信端末の構成を示すブロック図である。
【図３】実施例１における移動通信端末内の処理の流れを示すフローチャートである。
【図４】（Ａ）〜（Ｃ）は、移動通信端末の表示部に表示されるメッセージ等の例を示す図である。
【図５】実施例２における移動通信端末内の処理の流れを示すフローチャートである。
【図６】実施例３における移動通信端末内の処理の流れを示すフローチャートである。
【符号の説明】
【００５３】
１０…移動通信端末、  １２…無線基地局、  １４…移動通信網、
１６…Ｗｅｂサーバ、  １８…メールサーバ、  ２０…ＤＢサーバ、
２２…アプリケーションサーバ、 ２４…インターネット網、
１００…メールアドレスデータベースサーバ  ２００…地図情報サーバ  
３０…ＰＣ、  ４０…ＧＰＳ衛星、
１０１…アンテナ、  １０２…ＲＦ部、  １０３…送受信部、
１０４…ＧＰＳ受信部、  １０５…操作部、  １０７…記憶部、
１０９…表示部、  １１１…スピーカ、  １１３…ＣＰＵ（制御部）
【図１】
2005136920.tif 000003
【図２】
2005136920.tif 000004
【図３】
2005136920.tif 000005
【図４】
2005136920.tif 000006
【図５】
2005136920.tif 000007
【図６】
2005136920.tif 000008